(57)【特許請求の範囲】
【請求項１】
クライアントに設けられるウィジェット提供装置において、
ウィジェット提供装置は、
各種のウィジェットに関する情報を登録されて格納して管理する第１ウィジェット管理部と、
第１ウィジェット管理部を介して格納されたウィジェットを起動するための起動コマンドを登録する第１起動コマンド登録部と、
ユーザーのクライアントでブラウザーが表示されれば、ブラウザーで開かれるウェブサイトに関連する起動キーワードを選定する第１オープンページ確認部と、
前記ウェブサイトに関連する起動キーワードと前記格納されたウィジェットに関する起動コマンドとを比較して、前記起動キーワードと同じ起動コマンドを有するウィジェットを選定する第１ウィジェット選択部と、
第１ウィジェット選択部で選定されたウィジェットをクライアントの一方の側に表示する第１ウィジェット表示部と、を備え、
前記起動コマンドは前記ユーザーより登録され、
前記第１起動コマンド登録部の起動コマンドは、１次起動コマンドとしてサイト名、ＵＲＬまたは起動ファイル名が登録され、２次起動コマンドとして該開かれるウェブサイトを検索する時に使用される検索キーワードが登録され、
前記第１オープンページ確認部の起動キーワードは、リアルタイムにてウェブページを形態素分析して選定された最も重要な単語として選定することを特徴とする応需型ウィジェット提供装置。
【請求項２】
前記各種のウィジェットに関する情報は、該ウィジェットが用いられる分野に応じてキーワード別に分類されたカテゴリー項目別に登録されることを特徴とする請求項１に記載の応需型ウィジェット提供装置。
【請求項３】
ウィジェット提供装置は、ユーザーのクライアントでプログラムが起動されれば、起動されるプログラムの起動ファイル名と同じ起動コマンドを有するウィジェットを選択する第１起動プログラム確認部をさらに備え、
第１ウィジェット表示部は、第１起動プログラム確認部で選択されたウィジェットをクライアントの一方の側に表示することを特徴とする請求項１に記載の応需型ウィジェット提供装置。
【請求項４】
外部サーバーに格納されてクライアントと通信しながらウィジェットをクライアントに表示するウィジェット提供装置において、
ウィジェット提供装置は、
各種のウィジェットに関する情報を登録されて格納して管理する第２ウィジェット管理部と、
ウィジェット管理部に登録された各種のウィジェットを利用しようとするユーザーに関する情報を登録されて格納して管理するクライアント管理部と、
登録されたユーザーが第２ウィジェット管理部に登録されたウィジェットを選択すれば、前記ユーザーがウィジェットを選択する時に使用された起動コマンドを含む前記ウィジェットに関する情報を登録される個人ウィジェット登録部と、
ユーザーのクライアントでブラウザーが表示されれば、ブラウザーで開かれるウェブサイトに関連する起動キーワードを選定する第２オープンページ確認部と、
前記ウェブサイトに関連する起動キーワードと前記個人ウィジェット登録部に登録されたウィジェットに関する起動コマンドとを比較して、前記起動キーワードと同じ起動コマンドを有するウィジェットを選定する第２ウィジェット選択部と、
第２ウィジェット選択部で選定されたウィジェットをクライアントの一方の側に表示する第２ウィジェット表示部と、を備え、
前記個人ウィジェット登録部の起動コマンドは、１次起動コマンドとしてサイト名、ＵＲＬまたは起動ファイル名が登録され、２次起動コマンドとして該開かれるウェブサイトを検索する時に使用される検索キーワードが登録され、
前記第２オープンページ確認部の起動キーワードは、リアルタイムにてウェブページを形態素分析して選定された最も重要な単語として選定することを特徴とする応需型ウィジェット提供装置。
【請求項５】
クライアント管理部は、ユーザーのクライアントに埋め込みプログラムがインストールされるときにインストールされたクライアントの情報が自動的に登録され、クライアントにインストールされた埋め込みプログラムはサーバーと通信することを特徴とする請求項４に記載の応需型ウィジェット提供装置。
【請求項６】
ウィジェット提供装置は、ユーザーのクライアントでプログラムが起動されれば、起動されるプログラムの起動ファイル名と同じ起動コマンドを有するウィジェットを選択する第２起動プログラム確認部をさらに備え、
第２ウィジェット表示部は、第２起動プログラム確認部で選択されたウィジェットをクライアントの一方の側に表示することを特徴とする請求項４に記載の応需型ウィジェット提供装置。
【発明の詳細な説明】
【技術分野】
【０００１】
本発明は、クライアントでプログラムが起動されるか、あるいは、ブラウザーにウェブページが表示されれば、プログラムまたは表示されるウェブページに関連するウィジェットが一緒に出力されるようにする応需型ウィジェット提供装置に関する。
【背景技術】
【０００２】
一般に、ウィジェット（ｗｉｄｇｅｔ）とは、コンピュータで別途のプログラムとして天気、時間、カレンダー、計算機などの所定の情報を提供するか、または、特定のサーバーに接続して検索などを要請可能なようにする小さなサイズの応用プログラムのことをいう。
【０００３】
かようなウィジェットは、ガジェット（ｇａｄｇｅｔ）またはパネル（ｐａｎｅｌ）という様々な用語として用いられいる。
【０００４】
この種のウィジェットは、ユーザーがウィジェットをダウンロードしてインストールするか、または、スクリプトをウェブページに埋め込めば、デスクトップなどに表示されて随時使用することが可能になる。
【０００５】
ウィジェットとは、ユーザー端末で駆動される小さなアプリケーションのことをいい、ニュース、天気、時計などの生活情報やメディア情報をインターネットブラウザーなしでもユーザーに容易に提供することができる。ウィジェットを用いれば、デスクトップやウェブブラウザーで自分が希望する情報のみを選んで閲覧することができる。
【０００６】
このようなウィジェットは、ウェブブラウザー基盤のウィジェットとインストール型ウィジェットとに大別することができる。ウェブブラウザー基盤のウィジェットとしては、「ｗｗｗ．ｉｇｏｏｇｌｅ．ｃｏｍ」、「ｗｗｗ．ｎｅｔｖｉｂｅｓ．ｃｏｍ」、「ｗｗｗ．ｗｚｄ．ｃｏｍ」などで運営されるウィジェットなどが挙げられる。ウェブブラウザー基盤のウィジェットは、ユーザーが当該サイトに接続すれば、その当該サイトを介してウィジェットサービスをユーザーに提供することができる。
【０００７】
インストール型ウィジェットとしては、マイクロウィンドウ社の「ｓｉｄｅｂａｒ」、グーグル社の「ｇａｄｇｅｔ」、「ｙａｈｏｏ  ｗｉｄｇｅｔ」、「ミニプル」、「ダルトン」などのサービスが挙げられる。インストール型ウィジェットは、別途のインストールプログラムの形で提供されてユーザーのクライアントにインストールされる。
【０００８】
これらのウィジェットは、ユーザーがウィジェットを起動した後にしか作動しないため、それぞれのウィジェットを起動せねばならないという煩雑さがある。
【発明の概要】
【発明が解決しようとする課題】
【０００９】
本発明が解決しようとする課題は、クライアントにインストールされた状態でブラウザーにウェブページが表示されれば、表示されるウェブページに関連するウィジェットが一緒に出力されるようにしてユーザーが使用可能なようにする応需型ウィジェット提供装置を提供するところにある。
【００１０】
本発明が解決しようとする他の課題は、クライアントでインストールされた状態でプログラムが起動されれば、プログラムに関連するウィジェットが一緒に出力されるようにしてユーザーが使用可能なようにする応需型ウィジェット提供装置を提供するところにある。
【００１１】
本発明が解決しようとするさらに他の課題は、クライアントと通信しながらクライアントのブラウザーにウェブページが表示されれば、表示されるウェブページに関連するウィジェットが一緒に出力されるようにしてユーザーが使用可能なようにする応需型ウィジェット提供装置を提供するところにある。
【００１２】
本発明が解決しようとするさらに他の課題は、クライアントと通信しながらクライアントのプログラムが起動されれば、プログラムに関連するウィジェットが一緒に出力されるようにしてユーザーが使用可能なようにする応需型ウィジェット提供装置を提供するところにある。
【課題を解決するための手段】
【００１３】
本発明の一実施形態による応需型ウィジェット提供装置は、クライアントに設けられ、各種のウィジェットに関する情報を登録されて格納して管理する第１ウィジェット管理部と、第１ウィジェット管理部を介して格納されたウィジェットを起動するための起動コマンドを登録する第１起動コマンド登録部と、ユーザーのクライアントでブラウザーが表示されれば、ブラウザーで開かれるウェブサイトに関連する起動キーワードを選定する第１オープンページ確認部と、前記ウェブサイトに関連する起動キーワードと前記格納されたウィジェットに関する起動コマンドとを比較して、前記起動キーワードと同じ起動コマンドを有するウィジェットを選定する第１ウィジェット選択部と、第１ウィジェット選択部で選定されたウィジェットをクライアントの一方の側に表示する第１ウィジェット表示部と、を備え、前記起動コマンドは前記ユーザーより登録されることを特徴とする。
【００１４】
好ましくは、各種のウィジェットに関する情報は、該ウィジェットが用いられる分野に応じてキーワード別に分類されたカテゴリー項目別に登録される。
【００１５】
また、好ましくは、起動コマンドは、１次起動コマンドとしてサイト名、ＵＲＬまたは起動ファイル名が登録され、２次起動コマンドとして該開かれるウェブサイトを検索する時に使用される検索キーワードが登録される。
【００１６】
さらに、好ましくは、第１オープンページ確認部の起動キーワードについては、英文と韓国語文のサイト名またはＵＲＬを１次起動キーワードとして選定し、該開かれるウェブサイトを検索する時に使用される検索語を２次起動キーワードとして選定し、リアルタイムにてウェブページを形態素分析して選定された最も重要な単語を３次起動キーワードとして選定する。
【００１７】
さらに、好ましくは、第１ウィジェット表示部は、選定されたウィジェットを、ブラウザーを別途に画成して一方の側に一緒に表示するか、ツールバーに表示するか、またはブラウザー以外の空間に表示する。
【００１８】
さらに、好ましくは、ウィジェット提供装置は、ユーザーのクライアントでプログラムが起動されれば、起動されるプログラムの起動ファイル名と同じ起動コマンドを有するウィジェットを選択する第１起動プログラム確認部をさらに備え、第１ウィジェット表示部は、第１起動プログラム確認部で選択されたウィジェットをクライアントの一方の側に表示する。
【００１９】
本発明の他の実施形態による応需型ウィジェット提供装置は、外部サーバーに格納されてクライアントと通信しながらウィジェットをクライアントに表示し、各種のウィジェットに関する情報を登録されて格納して管理する第２ウィジェット管理部と、ウィジェット管理部に登録された各種のウィジェットを利用しようとするユーザーに関する情報を登録されて格納して管理するクライアント管理部と、登録されたユーザーが第２ウィジェット管理部に登録されたウィジェットを選択すれば、前記ユーザーがウィジェットを選択する時に使用された起動コマンドを含む前記ウィジェットに関する情報を登録される個人ウィジェット登録部と、ユーザーのクライアントでブラウザーが表示されれば、ブラウザーで開かれるウェブサイトに関連する起動キーワードを選定する第２オープンページ確認部と、前記ウェブサイトに関連する起動キーワードと前記個人ウィジェット登録部に登録されたウィジェットに関する起動コマンドとを比較して、前記起動キーワードと同じ起動コマンドを有するウィジェットを選定する第２ウィジェット選択部と、第２ウィジェット選択部で選定されたウィジェットをクライアントの一方の側に表示する第２ウィジェット表示部と、を備えることを特徴とする。
【発明の効果】
【００２０】
本発明の応需型ウィジェット提供装置は、携帯電話、スマートフォン、タブレットＰＣ、コンピュータ、ＴＶなどの有無線クライアントでウェブページが表示されれば、表示されるウェブページに関連するウィジェットが一緒に出力されるようにしてユーザーが使用可能なようにするというメリットがある。
【００２１】
また、本発明は、クライアントでプログラムが起動されれば、プログラムに関連するウィジェットが一緒に出力されるようにしてユーザーが使用可能なようにするというメリットがある。
【図面の簡単な説明】
【００２２】
【図１】本発明の第１実施形態によるクライアントにインストールされる応需型ウィジェット提供装置に関するブロック図である。
【図２】本発明による応需型ウィジェット提供装置の例示図である。
【図３】本発明による応需型ウィジェット提供装置の例示図である。
【図４】本発明による応需型ウィジェット提供装置の例示図である。
【図５】図５は、本発明の第１実施形態によるクライアントにインストールされる応需型ウィジェット提供装置の処理過程を示すフローチャートである。
【図６】本発明の第２実施形態による外部サーバーにインストールされてクライアントに提供される応需型ウィジェット提供装置の概略図である。
【図７】図７は、本発明の第２実施形態による外部サーバーにインストールされてクライアントに提供される応需型ウィジェット提供装置のブロック図である。
【図８】図８は、本発明の第２実施形態による外部サーバーにインストールされてクライアントに提供される応需型ウィジェット提供装置の処理過程を示すフローチャートである。
【発明を実施するための形態】
【００２３】
以下、添付図面に基づき、本発明による応需型ウィジェット提供装置について詳細に説明する。
【００２４】
本発明の第１実施形態による応需型ウィジェット提供装置は、多数のウィジェットが登録されたウィジェット提供装置２０が携帯電話、スマートフォン、タブレットＰＣ、コンピュータ、ＴＶなどの有無線クライアント１０にインストールされた状態でブラウザーが表示されるか、または、プログラムが起動されれば、関連するウィジェットをクライアント１０に一緒に表示してクライアントユーザーが手軽にウィジェットを使用可能なようにするものである。
【００２５】
図１に示すように、本発明の第１実施形態によるクライアント１０にインストールされるウィジェット提供装置２０は、第１ウィジェット管理部２１と、第１起動コマンド登録部２２と、第１オープンページ確認部２３と、第１ウィジェット選択部２４と、第１起動プログラム確認部２５と、第１ウィジェット表示部２６と、を備える。
【００２６】
第１ウィジェット管理部２１は、各種のウィジェットに関する情報を登録されて第１ウィジェット情報ＤＢ２７に格納して管理する。第１ウィジェット情報ＤＢ２７に格納されるウィジェット情報は、ウィジェットが用いられる分野に応じて分類されたカテゴリー項目別に分類されて登録されることが好ましい。例えば、カテゴリーがショッピングである場合には、ショッピング項目に価格比較ウィジェット、家計簿ウィジェット、計算機ウィジェットなどが登録され、カテゴリーが辞書である場合には、ヤフー辞書ウィジェット、ネイバー辞書ウィジェット、ダウム辞書ウィジェットなどが登録され、カテゴリーが証券である場合には、証市現況ウィジェット、為替相場ウィジェットなどの証券に関連するウィジェットなどが登録される。また、第１ウィジェット管理部２１は、外部と通信しながら新たに追加されるウィジェットを提供される。第１ウィジェット管理部２１に登録されるウィジェットについては、基本的に、ウィジェットを起動するための起動コマンドが第１起動コマンド登録部２２に登録される。このとき、起動コマンドは、１次起動コマンドとしてサイト名、ＵＲＬまたは起動ファイル名が登録され、２次起動コマンドとして検索キーワードが登録される。例えば、ショッピングに関連する価格比較ウィジェット、家計簿ウィジェット、計算機ウィジェットなどの起動コマンドとしては、１次起動コマンドとして各種のショッピングモールサイト名とＵＲＬが登録され、２次起動コマンドとしてユーザーより登録されたショッピングなどの検索キーワードが登録される。また、辞書に関連するヤフー辞書ウィジェット、ネイバー辞書ウィジェット、ダウム辞書ウィジェットなどの起動コマンドとしては、１次起動コマンドとして各種の辞書サイト名とＵＲＬが登録され、２次起動コマンドとしてユーザーより登録された辞書、ミニ辞書などの検索語が登録される。さらに、証券に関連する証市現況ウィジェット、為替相場ウィジェットなどの起動コマンドとしては、１次起動コマンドとして各種の証券サイト名とＵＲＬが登録され、２次起動コマンドとしてユーザーより登録された株式、為替相場などの検索キーワードが登録される。
【００２７】
第１起動コマンド登録部２２は、ユーザーから第１ウィジェット情報ＤＢ２７に格納されたウィジェットを起動するための起動コマンドを登録される。例えば、１次起動コマンド及び２次起動コマンドをユーザーが変更したり追加したりすることができる。また、クライアント１０で起動されるプログラムが家計簿である場合には、家計簿プログラムの起動ファイル名が価格比較ウィジェット、計算機ウィジェット、メモ紙ウィジェットなどの１次起動コマンドとして登録される。
【００２８】
第１オープンページ確認部２３は、ユーザーのクライアント１０でブラウザーが表示されれば、ブラウザーで開かれるウェブサイトに関連する起動キーワードを選定する。起動キーワードについては、英文と韓国語文のサイト名、ＵＲＬを１次起動キーワードとして選定し、検索語を２次起動キーワードとして選定し、リアルタイムにてウェブページを形態素分析して選定された最も重要な単語を３次起動キーワードとして選定する。例えば、クライアントで「オークション（ａｕｃｔｉｏｎ）」サイトが表示されれば、サイト名である「オークション（ａｕｃｔｉｏｎ）」または「ａｕｃｔｉｏｎ．ｃｏ．ｋｒ」をウィジェットの１次起動キーワードとして選定する。一方、第１オープンページ確認部２３は、ウェブサイトの１次起動キーワードが登録されたウィジェットの起動コマンドと一致しない場合には、ウェブサイトの検索語をさらに２次起動キーワードとして選定してウィジェットの起動コマンドと比較し、２次起動キーワードもウィジェットの起動コマンドと一致しない場合には、表示されるウェブページを形態素分析して最も重要な単語を３次起動キーワードとして選定する。
【００２９】
第１ウィジェット選択部２４は、第１オープンページ確認部２３でクライアントの起動キーワードが確認されれば、クライアントの起動キーワードと第１ウィジェット情報ＤＢ２７に格納されたウィジェットの起動コマンドとを比較して、起動キーワードと同じ起動コマンドを有するウィジェットを選定する。例えば、クライアントで「オークション」サイトが表示されれば、第１ウィジェット選択部２４は、「オークション」が起動コマンドとして登録された価格比較ウィジェット、計算機ウィジェット、メモ紙ウィジェットなどを選定する。
【００３０】
第１起動プログラム確認部２５は、ユーザーのクライアント１０でプログラムが起動されれば、起動されるプログラム情報を確認し、起動プログラムの起動ファイル名と同じ起動コマンドを有するウィジェットを選択する。例えば、ユーザーのクライアント１０で起動されるプログラムが家計簿である場合には、家計簿プログラムの起動ファイル名が起動コマンドとして格納された価格比較ウィジェット、計算機ウィジェット、メモ紙ウィジェットなどが選定される。
【００３１】
第１ウィジェット表示部２６は、第１ウィジェット選択部２４で選定されたウィジェットまたは第１起動プログラム確認部２５で選定されたウィジェットをクライアント１０の一方の側に表示する。このとき、クライアント１０で表示されるウィジェットは、ブラウザーを別途に画成して一方の側に一緒に表示するか、ツールバーに表示するか、または、ブラウザー以外の空間にガジェットの形で表示する。例えば、図２に示すように、クライアント１０で「オークション」サイトが表示されれば、ショッピングに関連するウィジェットである価格比較ウィジェット、計算機ウィジェット、メモ紙ウィジェットなどを、ブラウザーを別途に画成して表示するか、または、図３に示すように、ブラウザー以外のデスクトップに表示する。なお、図４に示すように、携帯電話、スマートフォンにおいて、ブラウザー以外の空間である下段に表示されてもよい。
【００３２】
図５に基づき、本発明の第１実施形態による応需型ウィジェット提供装置の処理過程について詳細に説明する。
【００３３】
先ず、ウィジェット提供装置２０は、携帯電話、スマートフォン、タブレットＰＣ、コンピュータ、ＴＶなどの有無線クライアント１０にユーザーがダウンロードしてインストールするか、または、埋め込みプログラムとしてインストールされる（ステップＳ１１）。ウィジェット提供装置２０における第１ウィジェット管理部２１は、ユーザーに提供される各種のウィジェットを第１ウィジェット情報ＤＢ２７に格納する。登録されるウィジェットは、分野に応じてカテゴリー項目別に分類されることが好ましい。第１ウィジェット管理部２１に登録されるウィジェットには、基本的に、ウィジェットを起動するための起動コマンドが登録される。
【００３４】
第１起動コマンド登録部２２は、ユーザーが格納するウィジェットを起動するための起動コマンドを登録される（ステップＳ１２）。これにより、ウィジェットの起動コマンドを変更したり追加したりすることができ、クライアント１０で起動されるプログラムの起動ファイル名を起動コマンドとして登録することができる。
【００３５】
一方、ユーザーのクライアント１０でブラウザーが起動されれば、第１オープンページ確認部２２は、起動されるウェブページの内容を分析して起動キーワードを検索する（ステップＳ１３）。例えば、起動キーワードについては、英文と韓国語文のサイト名を１次起動キーワードとして選定し、検索語を２次起動キーワードとして選定し、リアルタイムにてウェブページを形態素分析して選定された最も重要な単語を３次起動キーワードとして選定する。
【００３６】
クライアント１０で表示されるウェブページの起動キーワードが選定されれば、第１ウィジェット選択部２４は、キーワードに対応する起動コマンドを有するウィジェットを選択する（ステップＳ１４）。第１ウィジェット表示部２６は、同じキーワードが起動コマンドとして登録されたウィジェットをクライアント１０の一方の側に表示する（ステップＳ１５）。クライアント１０で表示されるウィジェットは、ブラウザーを別途に画成して一方の側に一緒に表示するか、ツールバーに表示するか、または、ブラウザー以外の空間に表示する。例えば、クライアント１０でオークションサイトが表示されれば、ショッピングに関連するウィジェットである価格比較ウィジェット、家計簿ウィジェット、計算機ウィジェット、関心商品カートウィジェットなどが表示され、ヤフー辞書が表示されれば、ネイバー辞書、ダウム辞書などが表示され、証券社が表示されれば、証券関連ウィジェットである証市現況ウィジェット、為替相場ウィジェットなどが表示されてユーザーが利用可能になる。
【００３７】
一方、ユーザーのクライアント１０で特定のプログラムが起動されれば（ステップＳ１６）、第１起動プログラム確認部２５は、起動プログラムの起動ファイル名を格納されたウィジェットの起動コマンドと比較して一致するウィジェットを選択する（ステップＳ１７）。例えば、ユーザーのクライアント１０で起動されるプログラムが家計簿である場合には、家計簿プログラムの起動ファイル名が起動コマンドとして格納された価格比較ウィジェット、計算機ウィジェット、メモ紙ウィジェットなどが選定される。
【００３８】
第１起動プログラム確認部２５を介して選定されたウィジェットは、第１ウィジェット表示部２６を介してクライアント１０の一方の側に表示される（ステップＳ１５）。このとき、クライアント１０で表示されるウィジェットは、ブラウザー以外の空間に表示されることが好ましい。これにより、クライアントで家計簿プログラムが起動されれば、家計簿に関連する家計簿ウィジェットが一緒に表示されてユーザーが使用可能になる。
【００３９】
また、図６に示すように、本発明の第２実施形態による応需型ウィジェット提供装置は、多数のウィジェットが登録されたウィジェット提供装置２０’が外部サーバー４０にインストールされ、携帯電話、スマートフォン、タブレットＰＣ、コンピュータ、ＴＶなどの有無線クライアント１０と通信しながらクライアント１０でブラウザーが表示されるか、または、プログラムが起動されれば、関連するウィジェットをクライアント１０に表示されるように転送してクライアントユーザーが手軽にウィジェットを使用可能なようにする。
【００４０】
図７に示すように、本発明のウィジェット提供装置２０’は、第２ウィジェット管理部３１と、第２クライアント管理部３２と、個人ウィジェット登録部３３と、第２オープンページ確認部３４と、第２ウィジェット選択部３５と、第２起動プログラム確認部３６と、第２ウィジェット表示部３７と、を備える。
【００４１】
第２ウィジェット管理部３１は、各種のウィジェットに関する情報を登録されて第２ウィジェット情報ＤＢ３8に格納して管理する。第２ウィジェット情報ＤＢ３８に格納されるウィジェット情報は、ウィジェットが用いられる分野に応じてカテゴリー項目別に分類されて登録されることが好ましい。第２ウィジェット管理部に登録されるウィジェットには、基本的に、ウィジェットを起動するための起動コマンドが登録される。起動コマンドについては、１次起動コマンドとして関連するサイト名、ＵＲＬまたは起動ファイル名が登録され、２次起動コマンドとして関連する検索キーワードが登録される。
【００４２】
クライアント管理部３２は、第２ウィジェット管理部３１に登録された各種のウィジェットを利用しようとするユーザーのクライアント１０に関する情報を登録されてクライアント情報ＤＢ３9に格納して管理する。クライアント管理部３２は、ユーザーのクライアント１０に埋め込みプログラムがインストールされるときにインストールされたクライアントの情報を自動的に登録し、クライアント１０にインストールされた埋め込みプログラムを介してクライアント１０と通信することが好ましい。
【００４３】
個人ウィジェット登録部３３は、登録されたユーザーが第２ウィジェット管理部３１に登録されたウィジェットを選択すれば、選択されたウィジェットに関する情報をクライアント情報ＤＢ３９に格納し、ユーザーからウィジェットを起動するための起動コマンドを登録されて格納する。このとき、起動コマンドについては、１次起動コマンドとしてユーザーが利用するサイト名、ＵＲＬまたは起動ファイル名が登録され、２次起動コマンドとして検索キーワードが登録される。なお、起動コマンドとしてクライアント１０で起動されるプログラムの起動ファイル名が登録される。
【００４４】
第２オープンページ確認部３４は、ユーザーのクライアント１０でブラウザーが表示されれば、ブラウザーで開かれるウェブサイトに関連する起動キーワードを選定する。起動キーワードについては、英文と韓国語文のサイト名を１次起動キーワードとして選定し、検索語を２次起動キーワードとして選定し、リアルタイムにてウェブページを形態素分析して選定された最も重要な単語を３次起動キーワードとして選定する。
【００４５】
第２ウィジェット選択部３５は、第２オープンページ確認部３４で確認されたクライアントの起動キーワードとクライアント情報ＤＢ３９に格納されたウィジェットの起動コマンドとを比較して、起動キーワードと同じ起動コマンドを有するウィジェットを選定する。
【００４６】
第２起動プログラム確認部３６は、ユーザーのクライアント１０でプログラムが起動されれば、起動されるプログラム情報を確認し、起動プログラムの起動ファイル名とクライアント情報ＤＢ３９に格納されたウィジェットの起動コマンドとを比較して、同じ起動コマンドを有するウィジェットを選択する。
【００４７】
第２ウィジェット表示部３７は、第２ウィジェット選択部３5で選定されたウィジェットまたは第２起動プログラム確認部３６で選定されたウィジェットをクライアント１０の一方の側に表示する。このとき、クライアント１０で表示されるウィジェットは、ブラウザーを別途に画成して一方の側に一緒に表示するか、ツールバーに表示するか、または、ブラウザー以外の空間にガジェットの形で表示する。
【００４８】
図８に基づき、本発明の第２実施形態による応需型ウィジェット提供装置の処理過程について詳細に説明する。
【００４９】
先ず、ウィジェット提供装置２０’の第２ウィジェット管理部３１は、インターネットユーザーに提供される各種のウィジェットを提供されて第２ウィジェット情報ＤＢ３8に格納し、インターネットユーザーが選択可能なように表示する（ステップＳ２１）。このとき、ウィジェットが用いられる分野に応じてカテゴリー項目別に分類されることが好ましい。第２ウィジェット管理部３１に登録されるウィジェットには、基本的にウィジェットを起動するための起動コマンドが登録される。
【００５０】
そして、管理サーバーのクライアント管理部３２は、オンラインで登録された各種のウィジェットをオンラインを介して利用しようとするインターネットユーザーのクライアント１０に関する情報を登録される（ステップＳ２２）。登録されるインターネットユーザーのクライアント１０は、サーバーと通信するクライアント１０に埋め込みプログラムなどがインストールされれば、自動的に登録されるようにすることが好ましい。
【００５１】
個人ウィジェット登録部３３は、登録されたクライアントのユーザーから使用しようとするウィジェットを登録されてクライアント情報ＤＢ３9に格納し（ステップＳ２３）、変更または追加される格納されたウィジェットを起動するための起動コマンドを登録される（ステップＳ２４）。このとき、起動コマンドについては、クライアント１０で起動されるプログラムの起動ファイル名を起動コマンドとして登録することができる。
【００５２】
一方、ユーザーのクライアント１０でブラウザーが起動されれば、第２オープンページ確認部３４は、起動されるウェブページの内容を分析して起動キーワードを検索する（ステップＳ２５）。例えば、起動キーワードについては、英文と韓国語文のサイト名を１次起動キーワードとして選定し、検索語を２次起動キーワードとして選定し、リアルタイムにてウェブページを形態素分析して選定された最も重要な単語を３次起動キーワードとして選定する。
【００５３】
クライアント１０で表示されるウェブページの起動キーワードが選定されれば、第２ウィジェット選択部３５は、キーワードに対応する起動コマンドを有するウィジェットを選択する（ステップＳ２６）。第２ウィジェット表示部３７は、同じキーワードが起動コマンドとして登録されたウィジェットをクライアント１０の一方の側に表示する（ステップＳ２７）。クライアント１０で表示されるウィジェットは、ブラウザーを別途に画成して一方の側に一緒に表示するか、ツールバーに表示するか、または、ブラウザー以外の空間に表示する。
【００５４】
一方、ユーザーのクライアント１０で特定のプログラムが起動されれば（ステップＳ２８）、第２起動プログラム確認部３６は、起動プログラムの起動ファイル名を格納されたウィジェットの起動コマンドと比較して一致するウィジェットを選択する（ステップＳ２９）。例えば、ユーザーのクライアント１０で起動されるプログラムが家計簿である場合には、家計簿プログラムの起動ファイル名が起動コマンドとして格納された価格比較ウィジェット、計算機ウィジェット、メモ紙ウィジェットなどが選定される。
【００５５】
第２起動プログラム確認部３６を介して選定されたウィジェットは、第2ウィジェット表示部37を介してクライアント１０の一方の側に表示される（ステップＳ２7）。このとき、クライアント１０で表示されるウィジェットは、ブラウザー以外の空間に表示されることが好ましい。
【００５６】
以上述べたように、本発明は、限定された実施形態と図面により説明されたが、本発明はこれに何ら限定されるものではなく、本発明が属する技術分野において通常の知識を有する者により本発明の技術思想と後述する請求範囲の均等な範囲内で種々の修正及び変形を加えることが可能であるということはいうまでもない。
【図１】
0005914695.tif 000002
【図２】
0005914695.tif 000003
【図３】
0005914695.tif 000004
【図４】
0005914695.tif 000005
【図５】
0005914695.tif 000006
【図６】
0005914695.tif 000007
【図７】
0005914695.tif 000008
【図８】
0005914695.tif 000009